(57)【特許請求の範囲】
【請求項１】
携帯端末であって、
ディスプレイと、
前記携帯端末の姿勢を検出する姿勢センサと、
前記携帯端末の姿勢を示す姿勢情報が入力されると、当該姿勢情報に応じた動作を行うアプリケーション部と、
前記姿勢センサの検出結果を前記姿勢情報に変換して前記アプリケーション部に入力する変換部と、
前記姿勢センサの検出結果を前記姿勢情報に変換するための変換規則を設定する設定操作が行われる操作部と、
前記設定操作に応じた変換規則を前記変換部に設定して、前記変換部に当該変換規則で前記検出結果を前記姿勢情報に変換させる制御部と、を備え、
前記制御部は、前記設定操作に応じた変換規則に基づいて、前記姿勢センサの検出結果に応じた表示モードを決定し、当該決定した表示モードで画面を前記ディスプレイに表示し、
前記アプリケーション部は、自身の動作と前記携帯端末の姿勢を示す姿勢情報との対応関係が前記表示モードごとに予め定められており、前記姿勢情報が入力されると、当該姿勢情報と前記対応関係とに従って動作し、
前記変換部は、前記設定操作に応じて、前記検出結果を前記表示モードと前記対応関係とに応じて前記姿勢情報に変換する第１の変換規則と、前記検出結果をそのまま前記姿勢情報とする第２の変換規則とのいずれか一方に従って、前記検出結果を変換する、携帯端末。
【請求項２】
前記制御部は、前記設定操作にて設定された変換規則が前記第１の変換規則であると、
前記検出結果が第１の姿勢を示す場合、第１の表示モードで前記画面を表示し、前記検出結果が前記第１の姿勢以外の姿勢を示す場合、第２の表示モードで前記画面を表示し、
前記対応関係は、前記携帯端末が前記第１の姿勢から前記ディスプレイの法線を軸に１８０°回転した第２の姿勢の場合に前記第１の表示モードとなり、前記携帯端末が前記第２の姿勢以外の姿勢の場合に前記第２の表示モードとなると定められている、請求項１に記載の携帯端末。
【請求項３】
前記姿勢センサは、３軸加速度センサを有し、
前記第１の変換規則は、前記表示モードが前記第１の表示モードの場合、前記３軸加速度センサの検出結果において、前記ディスプレイの表示面に含まれる互いに直交する２方向のそれぞれの値を反転させる規則を含む、請求項２に記載の携帯端末。
【請求項４】
前記姿勢センサは、磁気センサを有し、
前記第１の変換規則は、前記表示モードが前記第１の表示モードの場合、前記磁気センサの検出結果において、前記ディスプレイの表示面に含まれる互いに直交する２方向のそれぞれの値を反転させる規則を含む、請求項２または３に記載の携帯端末。
【請求項５】
前記姿勢センサは、方位センサを有し、
前記第１の変換規則は、前記表示モードが前記第１の表示モードの場合、前記方位センサの検出結果において、ヨー角度が１８０°以上の場合には、当該ヨー角度から１８０°を減算し、前記ヨー角度が１８０°より小さい場合には、当該ヨー角度に１８０°を加算させ、ピッチ角度およびロール角度を反転させる規則を含む、請求項２ないし４のいずれか１項に記載の携帯端末。
【請求項６】
前記第１の表示モードは、前記画面を横長にして表示するランドスケープモードであり、前記第２の表示モードは、前記画面を縦長にして表示するポートレートモードである、請求項２ないし５のいずれか１項に記載の携帯端末。
【請求項７】
前記アプリケーション部は、前記対応関係を示す関係情報を変換部に通知し、
前記変換部は、前記関係情報が通知されると、当該関係情報と前記変換規則とに従って、前記検出結果を変換する、請求項１ないし６のいずれか１項に記載の携帯端末。
【請求項８】
前記操作部は、前記ディスプレイに並んで配置されたキーを含み、
前記第１の姿勢は、前記キーが前記ディスプレイの左側に配置される姿勢である、請求項１から７のいずれか１項に記載の携帯端末。
【請求項９】
前記制御部は、前記変換規則を前記変換部に設定すると、前記変換規則が変更されたことを示すメッセージを前記ディスプレイに表示する、請求項１から８のいずれか１項に記載の携帯端末。
【請求項１０】
ディスプレイと、携帯端末の姿勢を検出する姿勢センサと、前記携帯端末の姿勢を示す姿勢情報が入力されると当該姿勢情報に応じた動作を行うアプリケーション部とを備え、前記アプリケーション部は、自身の動作と前記姿勢情報との対応関係が表示モードごとに予め定められており、前記姿勢情報が入力されると、当該姿勢情報と前記対応関係とに従って動作する、動作制御方法であって、
前記姿勢センサの検出結果を前記姿勢情報に変換するための変換規則を設定する設定操作が行われ、
前記設定操作に応じた変換規則に基づいて、前記姿勢センサの検出結果に応じた表示モードを決定し、当該決定した表示モードで画面を前記ディスプレイに表示し、
前記設定操作に応じて、前記検出結果を前記表示モードと前記対応関係とに応じて前記姿勢情報に変換する第１の変換規則と、前記検出結果をそのまま前記姿勢情報とする第２の変換規則とのいずれか一方に従って、前記検出結果を前記姿勢情報に変換し、
前記変換された姿勢情報を前記アプリケーション部に入力する、動作制御方法。
【発明の詳細な説明】
【技術分野】
【０００１】
本発明は、携帯端末および動作制御方法に関し、特には、姿勢に応じた表示モードの画面を表示する携帯端末および動作制御方法に関する。
【背景技術】
【０００２】
携帯電話機やＰＤＡ（Personal Digital Assistants）のような携帯端末には、自身の姿勢に応じて、ディスプレイに表示される画面の表示モードを切り換えるものがある（特許文献１参照）。
【０００３】
例えば、図１０で示したような携帯端末Ｐでは、ディスプレイＰ１が縦長に配置された基準姿勢Ｒ１では、画面を縦長にして表示するポートレートモードが適用され、基準姿勢Ｒ１からディスプレイＰ１の法線を軸に２７０°回転した姿勢Ｒ２では、画面を横長にして表示するランドスケープモードが適用される。なお、基準姿勢Ｒ１からディスプレイＰ１の法線を軸に９０°回転した姿勢Ｒ３では、ランドスケープモードが適用されず、ポートレートモードが適用される。これは、ランドスケープモード時には必ずディスプレイＰ１の右側に操作部Ｐ２が配置されるようにすることで、人の利き手である可能性が高い右手で操作部Ｐ２を操作させるためである。
【０００４】
また、携帯端末にインストールされるアプリケーションプログラム（以下、アプリと略す）には、携帯端末の姿勢に応じて動作が制御されるものがある。例えば、３軸加速度センサを用いて携帯端末の姿勢が検出される場合、アプリは、ＸＹＺ軸のそれぞれに対応する３軸加速度センサの値（加速度）に応じて動作が制御される。
【０００５】
上記のアプリが表示モードの切換可能な携帯端末に適用された場合、表示モードが切り換えられるときに、画面の向きとＸＹＺ軸との関係が変化してしまうために、正常な動作が行われなくなることがある。
【０００６】
例えば、図１０で示したように、表示モードがポートレートモードの場合、画面の左右方向がＸ軸であり、画面の上下方向がＹ軸となるが、表示モードがランドスケープモードの場合、画面の左右方向がＹ軸となり、画面の上下方向がＸ軸となる。このため、表示モードが切り換えられると、アプリは、Ｘ軸とＹ軸とを誤って判断してしまい、正常に動作できなくなることがある。
【０００７】
このため、表示モードの切換可能な携帯端末用に開発されたアプリには、表示モードごとに、画面の向きとＸＹＺ軸との関係が定義されている。
【０００８】
また、近年、ディスプレイとタッチパネルとが一体化したタッチパネル式のディスプレイを備えた携帯端末が注目されている。このような携帯端末では、ランドスケープモード時に、右手でタッチパネルを操作でき、左手で操作部を操作できるようにすれば、利便性が高い。
【０００９】
このため、タッチパネル式のディスプレイを備えた携帯端末では、図１１に示すように、基準姿勢Ｒ１から９０°回転した姿勢Ｒ３において、ランドスケープモードが適用され、姿勢Ｒ３以外の姿勢では、ポートレートモードが適用されるように設定が変更されることが望ましい。
【００１０】
しかしながら、上記のように設定が変更されると、ランドスケープモード時のＸ軸およびＹ軸の向きが、設定変更前の逆になる。このため、上記のアプリでは、画面の向きとＸ軸およびＹ軸の向きとの関係が変化してしまい、アプリが正常に動作できなくなることがある。
【先行技術文献】
【特許文献】
【００１１】
【特許文献１】特開２００９−７５９４６号公報
【発明の概要】
【発明が解決しようとする課題】
【００１２】
これに対して、表示モードの切り替え制御が異なる別の携帯端末用に開発されたアプリを正常に使用できるように、姿勢センサの検出結果を、ある変換規則に従って変換するという方法が考えられる。しかしながら、アプリは、携帯端末の製造者とは別の開発者によって製作されることがあるため、アプリによって姿勢センサの検出結果がどのように使用されているのか、携帯端末の製造者には分からないことがある。このため、姿勢センサの検出結果が表示モードと動作・姿勢関係との変換規則に従って変換されても、アプリの仕様によっては、アプリが正常に動作しないかもしれないし、アプリが正常に動作しても操作性がかえって低くなるかもしれない。
【００１３】
また、アプリによっては、図１０で示したような携帯端末Ｐがどのような姿勢でもランドスケープモードの画面が表示されるものがある。このようなアプリでも、携帯端末が姿勢Ｒ２で使用されていることを前提としているため、ユーザが携帯端末を姿勢Ｒ３で使用した場合、アプリが正常に動作できなくなることがある。
【００１４】
本発明の目的は、多様なアプリに対して利便性の高い携帯端末および動作制御方法を提供することである。
【課題を解決するための手段】
【００１５】
本発明による携帯端末は、携帯端末の姿勢を検出する姿勢センサと、前記携帯端末の姿勢を示す姿勢情報が入力されると、当該姿勢情報に応じた動作を行うアプリケーション部と、前記姿勢センサの検出結果を前記姿勢情報に変換して前記アプリケーション部に入力する変換部と、前記姿勢センサの検出結果を前記姿勢情報に変換するための変換規則を設定する設定操作が行われる操作部と、前記設定操作に応じた変換規則を前記変換部に設定して、前記変換部に当該変換規則で前記検出結果を前記姿勢情報に変換させる制御部と、を備える。
【００１６】
また、本発明による動作制御方法は、前記携帯端末の姿勢を検出する姿勢センサと、前記携帯端末の姿勢を示す姿勢情報が入力されると当該姿勢情報に応じた動作を行うアプリケーション部とを備える動作制御方法であって、前記姿勢センサの検出結果を前記姿勢情報に変換するための変換規則を設定する設定操作が行われ、前記設定操作に応じた変換規則で前記検出結果を前記姿勢情報に変換し、前記変換された姿勢情報を前記アプリケーション部に入力する。
【発明の効果】
【００１７】
本発明によれば、携帯端末の利便性より高くすることが可能になる。
【図面の簡単な説明】
【００１８】
【図１】本発明の第１の実施形態の携帯端末の概観を示す正面図である。
【図２】本発明の第１の実施形態の携帯端末の機能的な構成を示すブロック図である。
【図３】姿勢センサの構成例を示すブロック図である。
【図４】本発明の第１の実施形態の携帯端末の姿勢の一例を示す図である。
【図５】本発明の第１の実施形態の携帯端末の姿勢の他の例を示す図である。
【図６】本発明の第１の実施形態の携帯端末の動作を説明するためのフローチャートである。
【図７】制御モードが変更されたこと示すメッセージの一例を示すための図である。
【図８】制御モードが変更されたこと示すメッセージの他の例を示すための図である。
【図９】制御モードが変更されたこと示すメッセージの他の例を示すための図である。
【図１０】関連技術の携帯端末の動作を説明するための図である。
【図１１】関連技術の携帯端末の問題点を説明するための図である。
【発明を実施するための形態】
【００１９】
以下、本発明の実施形態について図面を参照して説明する。なお、以下の説明では、同じ機能を有するものには同じ符号を付け、その説明を省略する場合がある。
【００２０】
図１は、本発明の第１の実施形態の携帯端末の概観を示す正面図である。図１に示すように、携帯端末１では、ディスプレイ１１と操作部１２とが並んで配置されている。なお、ディスプレイ１１中の矢印は画面の向きを示している。
【００２１】
ディスプレイ１１は、タッチパネルと一体化されたタッチパネル式のディスプレイでもよい。また、本実施形態では、ディスプレイの表示面は長方形状としている。ここで、図１では、ディスプレイ１１の表示面をＸＹ平面とし、その表示面に垂直な軸をＺ軸としている。ＸＹ平面では、表示面の短手方向をＸ方向、表示面の長手方向をＹ方向としている。また、図１における携帯端末１の姿勢は、操作部１２がディスプレイの下側に配置されている基準姿勢Ａ１になっている。
【００２２】
操作部１２は、複数のキー１２Ａで構成されている。しかしながら、操作部１２は、キー１２Ａの代わりに、ジョグダイヤルなどの他の操作装置で構成されてもよいし、キー１２Ａと他の操作装置の組み合わせで構成されてもよい。
【００２３】
図２は、携帯端末１の機能的な構成を示すブロック図である。図２において、携帯端末１は、ディスプレイ１１と、操作部１２と、姿勢センサ１３と、制御部１４と、アプリケーション部１５と、変換部１６とを備える。
【００２４】
姿勢センサ１３は、携帯端末１の姿勢を検出し、その検出結果を制御部１４および変換部１６に通知する。
【００２５】
より具体的には、姿勢センサ１３は、図３で示すように、３軸加速度センサ１３１、磁気センサ１３２および方位センサ１３３を有し、各センサ１３１〜１３３の検出結果を、自身（姿勢センサ１３）の検出結果として通知する。なお、姿勢センサ１３の構成は、上記の構成に限らず適宜変更可能である。例えば、姿勢センサ１３は、３軸加速度センサ１３１、磁気センサ１３２および方位センサ１３３の少なくとも一つを備えるものであってもよい。
【００２６】
制御部１４は、例えば、携帯端末１のＯＳ（Operating System）などによって実現される。制御部１４は、姿勢センサ１３から通知された検出結果に応じて、ディスプレイ１１に表示する画面の表示モードを決定し、その決定した表示モードをアプリケーション部１５に通知する。
【００２７】
以下では、制御部１４は、図４で示すように、検出結果が図１で示した基準姿勢Ａ１からＺ軸を中心に９０°回転した回転姿勢Ａ２を示す場合、表示モードを、画面を横長にして表示する第１の表示モードであるランドスケープモードに決定し、検出結果がそれ以外の姿勢を示す場合、表示モードを、画面を縦長にして表示する第２の表示モードであるポートレートモードに決定する。このように表示モードを決定することで、操作部１２がディスプレイの左側に配置される姿勢のときに、ランドスケープモードで画面が表示されるので、ディスプレイ１１がタッチパネル式のディスプレイの場合に操作性を向上させることができる。なお、回転姿勢Ａ２は、第１の姿勢の一例である。
【００２８】
なお、上記の表示モードは、携帯端末１が基準姿勢Ａ１のときにディスプレイが縦長に配置されることを前提として設定されている。これとは別に、基準姿勢Ａ１のときにディスプレイが横長に配置されるような携帯端末では、制御部１４は、検出結果が回転姿勢Ａ２を示す場合、表示モードをポートレートモードに決定し、検出結果が回転姿勢Ａ２以外の姿勢を示す場合、表示モードをランドスケープモードに決定する。このように、検出結果と表示モードとの対応関係は、携帯端末１の形状や利用形態などに応じて適宜変更可能である。
【００２９】
また、制御部１４は、アプリケーション部１５に通知した表示モードに対応する画面情報をアプリケーション部１５から受け付けると、その画面情報が示す画面をディスプレイ１１に表示する。これにより、制御部１４は、姿勢センサ１３の検出結果に応じた表示モードの画面をディスプレイに表示することになる。
【００３０】
アプリケーション部１５は、携帯端末１にインストールされたアプリにて実現される。
【００３１】
アプリケーション部１５は、制御部１４から表示モードが通知されると、その表示モードに応じた画面を示す画面情報を生成し、その画面情報を制御部１４に出力する。例えば、アプリケーション部１５は、表示モードがポートレートモードの場合、縦長の画面を示す画面情報を生成し、表示モードがランドスケープモードの場合、横長の画面を示す画面情報を生成する。
【００３２】
また、アプリケーション部１５には、表示モードごとに、自身の動作と携帯端末１の姿勢を示す姿勢情報との対応関係である動作・姿勢関係が予め定められている。そして、アプリケーション部１５は、変換部１６から姿勢情報が入力されると、その姿勢情報と動作・姿勢関係とに従って動作する。
【００３３】
ここで、動作・姿勢関係は、表示モードがランドスケープモードとなる携帯端末１の姿勢が実際の携帯端末１とは逆向きとなることを前提として定められている。つまり、動作・姿勢関係は、図５で示すように携帯端末１が基準姿勢Ａ１からＺ軸を中心に２７０°回転した逆回転姿勢Ａ３の場合、表示モードがランドスケープモードになり、携帯端末１が逆回転姿勢Ａ３以外の姿勢の場合、表示モードがポートレートモードとなることを前提として定められている。したがって、アプリケーション部１５は、表示モードがポートレートモードの場合、姿勢情報における図１で示したようなＸ、Ｙ、Ｚ方向の値に応じて動作し、表示モードがランドスケープモードの場合、姿勢情報における図５で示したようなＸ、Ｙ、Ｚ方向の値に応じて動作する。なお、逆回転姿勢Ａ３は、回転姿勢Ａ２からＺ軸を回転軸として１８０°回転した第２の姿勢となる。
【００３４】
なお、実際に表示モードがランドスケープモードになるときには、姿勢センサ１３の検出結果は、図４で示したＸ、Ｙ、Ｚ方向に応じた値を示す。このため、検出結果がそのまま姿勢情報として用いられると、アプリケーション部１５では、姿勢情報におけるＸ、Ｙ方向の値を、実際とは逆の値と判断してしまい、正常に動作することができない。
【００３５】
このため、変換部１６は、姿勢センサ１３から通知された検出結果を、表示モードと動作・姿勢関係とに応じて定められる変換規則に従って変換し、その変換した検出結果を姿勢情報としてアプリケーション部１５に入力する。
【００３６】
より具体的には、表示モードがポートレートモードの場合、変換部１６は、検出結果をそのまま姿勢情報としてアプリケーション部１５に入力する。これは、表示モードがポートレートモードの場合、アプリケーション部１５は検出結果が変換されなくても正常に動作するためである。
【００３７】
一方、表示モードがランドスケープモードの場合、変換部１６は、３軸加速度センサ１３１、磁気センサ１３２および方位センサ１３３のそれぞれの検出結果を以下のように変換してアプリケーション部１５に入力する。
【００３８】
変換部１６は、３軸加速度センサ１３１および磁気センサ１３２の検出結果に対しては、Ｘ方向およびＹ方向のそれぞれの値を反転させる。また、変換部１６は、方位センサ１３３の検出結果に対しては、ヨー角度が１８０°以上の場合には、そのヨー角度から１８０°を減算し、ヨー角度が１８０°より小さい場合には、そのヨー角度に１８０°を加算する。そして、変換部１６は、ピッチ角度およびロール角度のそれぞれを反転させる。
【００３９】
ここで、ピッチ角度は、Ｘ軸を回転軸とする携帯端末１の回転角度であり、ロール角度は、Ｙ軸を回転軸とする携帯端末１の回転角度であり、ヨー角度は、Ｚ軸を回転軸とする携帯端末１の回転角度である。
【００４０】
上記のような変換が行われると、アプリケーション部１５では、姿勢情報の値が実際の姿勢とが同じになり、正常な動作が行われる。
【００４１】
次に携帯端末１の動作を説明する。
【００４２】
図６は、携帯端末１の動作を説明するためのフローチャートである。
【００４３】
先ず、アプリが起動されて、アプリケーション部１５が実現されると、制御部１４は、姿勢センサ１３から通知された検出結果を確認して、携帯端末１の姿勢が回転姿勢Ａ２か否かを判断する（ステップＳ６０１）。
【００４４】
そして、制御部１４は、携帯端末１の姿勢が回転姿勢Ａ２の場合、表示モードをランドスケープモードに決定し、携帯端末１の姿勢が回転姿勢Ａ２以外の姿勢の場合、表示モードをポートレートモードに決定する（ステップＳ６０２）。
【００４５】
続いて、制御部１４は、決定した表示モードをアプリケーション部１５に通知する。アプリケーション部１５は、その通知された表示モードに応じた画面を示す画面情報を生成し、その画面情報を制御部１４に出力する。制御部１４は、画面情報を受け付けると、その画面情報が示す画面をディスプレイ１１に表示する（ステップＳ６０３）。
【００４６】
その後、アプリケーション部１５は、携帯端末１の姿勢情報の取得要求を変換部１６に通知する。変換部１６は、取得要求が通知されると、姿勢センサ１３から通知された検出結果を変換規則に応じて変換し、その変換した検出結果を姿勢情報として生成する（ステップＳ６０４）。なお、変換規則は、表示モードごとに異なる規則になっているため、変換部１６は、現在の表示モードを割り出す必要がある。ここで、変換部１６が検出結果から表示モードを割り出してもよいし、制御部１４から表示モードが変換部１６に通知されてもよい。
【００４７】
変換部１６は、姿勢情報を生成すると、その姿勢情報をアプリケーション部１５に入力する。アプリケーション部１５は、姿勢情報が入力されると、その姿勢情報に応じた動作を行う（ステップＳ６０５）。
【００４８】
以上のように姿勢センサ１３の検出結果が表示モードと動作・姿勢関係とに応じた変換規則に従って変換されてアプリケーション部１５に入力されるので、画面の表示モードの切り替え制御が異なる携帯端末用に開発されたアプリを正常に使用することができる。
【００４９】
しかしながら、アプリケーション部１５を実現するアプリの仕様などによっては、上記のような表示モードと動作・姿勢関係とに応じた変換規則に従って検出結果が変換されると、かえって利便性が低くなることがある。
【００５０】
このため、本実施形態では、ユーザが、操作部１２に対して、姿勢センサ１３の検出結果を姿勢情報に変換するための変換規則を設定する設定操作を行うことで、変換部１６が実際に検出結果を変換する変換規則を切り替える。
【００５１】
切替操作は、例えば、キー１２Ａのうちの予め定められた所定キー（例えば、メニューキーなど）を長押しする長押し操作である。なお、アプリケーション部１５が所定キーの長押し操作をフックしている場合、アプリケーション部１５が優先的に長押し操作に応じた動作を行うので、ユーザは操作部１２を操作して所定のホーム画面や設定画面を表示させてから所定キーの長押し操作を行う。また、切り替え操作はこのような長押し操作に限らず適宜変更可能である。
【００５２】
操作部１２に対して設定操作が行われた場合、制御部１４は、その設定操作に応じた変換規則を変換部１６に設定して、変換部１６にその設定した変換規則で姿勢センサ１３の検出結果を姿勢情報に変換させる。また、制御部１４は、その設定した変換規則に基づいて、検出結果に応じた表示モードを決定し、その表示モードで画面をディスプレイ１１に表示する。
【００５３】
より具体的には、設定操作が行われるたびに、制御部１４は、変換規則を第１の変換規則と第２の変換規則と間で切り替える。第１の変換規則は、上述したような表示モードと動作・姿勢関係とに応じた変換規則であり、第２の変換規則は、姿勢センサ１３の検出結果をそのまま姿勢情報とする変換規則である。
【００５４】
また、制御部１４は、設定した変換規則に基づいて、姿勢センサ１３の検出結果に応じて表示モードを決定する制御モードを切り替える。
【００５５】
例えば、制御部１４は、第１の変換規則を設定すると、制御モードを、姿勢センサ１３の検出結果に応じた表示モードを図４で説明したように決定する通常モードにする。このとき、制御部１４は、検出結果が図１で示した基準姿勢Ａ１からＺ軸を中心に９０°回転した回転姿勢Ａ２を示す場合、表示モードを、画面を横長にして表示する第１の表示モードであるランドスケープモードに決定し、検出結果がそれ以外の姿勢を示す場合、表示モードを、画面を縦長にして表示する第２の表示モードであるポートレートモードに決定する。
【００５６】
一方、制御部１４は、第２の変換規則を設定すると、制御モードを、姿勢センサ１３の検出結果に応じた表示モードを図５で説明したように決定する互換モードにする。この場合、制御部１４は、検出結果が図１で示した基準姿勢Ａ１からＺ軸を中心に２７０°回転した回転姿勢Ａ３を示す場合、表示モードを、画面を横長にして表示する第１の表示モードであるランドスケープモードに決定し、検出結果がそれ以外の姿勢を示す場合、表示モードを、画面を縦長にして表示する第２の表示モードであるポートレートモードに決定する。
【００５７】
このとき、制御部１４は、変換規則が変更されたこと、つまり、制御モードが変更されたことをユーザに通知してもよい。
【００５８】
例えば、図７に示すように、制御部１４は、制御モードが変更されたこと示すメッセージを有するトースト画面７１をディスプレイ１１に表示する。また、制御モードが通常モードから互換モードに変更された場合にのみ、制御部１４は、トースト(Toast)画面を表示してもよい。なお、トースト画面とは、一時的なポップアップ画面である。
【００５９】
また、図８に示すように、制御部１４は、制御モードが通常モードから互換モードに変更されると、携帯端末１に関する履歴を示す告知（notification）バー８１に制御モードが変更されたこと示すメッセージ８２を追加してもよい。なお、告知バー８１は、通常折り畳まれており、ユーザによってスライド操作が行われることで告知バー８１内のメッセージ８２が表示される。
【００６０】
また、メッセージ８２には、制御モードを互換モードから通常モードに変更する変更方法が記載されてもよい。さらに、図９に示すように、制御部１４は、メッセージ８２内に制御モードを互換モードから通常モードに変更するための変更ボタン８３を設けてもよい。この場合、変更ボタン８３がユーザに押下されると、制御部１４は、制御モードを互換モードから通常モードに切り替える。このとき制御部１４は、メッセージ８２を告知バー８１から削除する。
【００６１】
以上説明したように本実施形態によれば、操作部１２に対する設定操作に応じて、変換部１６による検出結果を姿勢情報に変換する変換規則を設定することができるので、利便性を更に向上させることが可能になる。
【００６２】
次に第２の実施形態について説明する。
【００６３】
本実施形態の携帯端末１では、動作・姿勢関係が異なるアプリがインストール可能である。
【００６４】
具体的には、アプリには、第１の実施形態で説明したような動作・姿勢関係が定められた第１のアプリの他に、表示モードがランドスケープモードとなる携帯端末の姿勢が実際の携帯端末１と同一であることを前提として定められている第２のアプリがある。
【００６５】
より具体的には、第２のアプリの動作・姿勢関係は、携帯端末１が基準姿勢Ａ１からＺ軸を中心に９０°回転した逆回転姿勢Ａ３の場合、表示モードがランドスケープモードになり、携帯端末１が逆回転姿勢Ａ３以外の姿勢の場合、表示モードがポートレートモードとなることを前提として定められている。したがって、第２のアプリにて実現されるアプリケーション部１５は、表示モードがポートレートモードの場合、姿勢情報における図１で示したようなＸ、Ｙ、Ｚ方向の値に応じて動作し、表示モードがランドスケープモードの場合、姿勢情報における図４で示したようなＸ、Ｙ、Ｚ方向の値に応じて動作する。
【００６６】
このため、第２のアプリにて実現されるアプリケーション部１５は、表示モードがランドスケープモードの場合、姿勢センサ１３の検出結果がそのまま姿勢情報として用いられると、正常に動作し、第１の実施形態のように検出結果が変換されると、正常に動作しないことが多い。
【００６７】
そこで、本実施形態では、アプリケーション部１５は、自身の動作・姿勢関係を示す関係情報を変換部１６に通知する。変換部１６は、制御部１４から設定された変換規則と、その通知された関係情報とに応じて姿勢センサ１３の検出結果を変換する。
【００６８】
例えば、アプリケーション部１５は、姿勢情報の取得要求とともに、第１のアプリまたは第２のアプリを示す情報を関係情報として変換部１６に通知する。
【００６９】
通知された関係情報が第１のアプリを示す場合、変換部１６は、制御部１４から設定された変換規則に従って検出結果を変換する。
【００７０】
一方、通知された関係情報が第２のアプリを示す場合、変換部１６は、制御部１４から設定された変換規則に関わらず、検出結果をそのまま姿勢情報としてアプリケーション部１５に入力する。
【００７１】
なお、画面の表示モードの切り替え制御が異なる別の携帯端末用に開発されたアプリは、関係情報を変換部１６に通知するように設定されているわけではないので、関係情報が通知されなかった場合、変換部１６は、制御部１４から設定された変換規則に従って検出結果を変換してもよい。
【００７２】
以上説明したように本実施形態によれば、画面の表示モードの切り替え制御が異なる別の携帯端末用に開発された第１のアプリでも、元々携帯端末１用に開発されたアプリでも正常に動作させることが可能になる。
【００７３】
次に第３の実施形態について説明する。
【００７４】
本実施形態の携帯端末１では、ランドスケープモードのみ対応した第３のアプリがインストール可能である。
【００７５】
第３のアプリにて実現されたアプリケーション部１５は、制御部１４から表示モードが通知されても、その表示モードには依存せずに、ランドスケープモードに対応した横長の画面を示す画面情報を常に生成する。このようなアプリは、図５で示すように携帯端末１が基準姿勢Ａ１からＺ軸を中心に２７０°回転した逆回転姿勢Ａ３で使用されることを前提としているものとする。
【００７６】
このような第３のアプリにてアプリケーション部１５が実現されていても、操作部１２に対して設定操作が行われた場合、制御部１４は、その設定操作に応じた変換規則を変換部１６に設定して、変換部１６にその設定した変換規則で姿勢センサ１３の検出結果を姿勢情報に変換させることで、携帯端末１が回転姿勢Ａ２で操作する場合にも、逆回転姿勢Ａ３で操作する場合にも対応することができる。
【００７７】
なお、ランドスケープモードに対応した横長の画面を示す画面情報を常に生成するので、制御モードが変換されても、ディスプレイ１１上に変化はない。このため、アプリケーション部１５が第３のアプリにて実現されている場合、制御部１４は、制御モードの変換を行わなくてもよい。
【００７８】
なお、以上説明した各実施形態において、図示した構成は単なる一例であって、本発明はその構成に限定されるものではない。
【００７９】
例えば、携帯端末１は、各実施形態では、ディスプレイ１１の画面が１つだけであったが、実際には、見開きの状態（書籍を読むような状態）で使用するような、画面が２つ並んだ形態のものでもよい。
【００８０】
この場合、制御部１４は、縦長の画面が横方向に並んでいるときに表示モードをポートレートモードとし、横長の画面が縦方向に並んでいるときに表示モードをランドスケープモードとしてもよいし、逆に、横長の画面が縦方向に並んでいるときに表示モードをポートレートモードとし、縦長の画面が横方向に並んでいるときに表示モードをランドスケープモードとしてもよい。
【００８１】
また、設定操作が行われる操作部は、ディスプレイ１１と一体化されているタッチパネルでもよい。
【符号の説明】
【００８２】
１      携帯端末
１１    ディスプレイ
１２    操作部
１２Ａ  キー
１３    姿勢センサ
１４    制御部
１５    アプリケーション部
１６    変換部
１３１  ３軸加速度センサ
１３２  磁気センサ
１３３  方位センサ
【図１】
0005699605.tif 000002
【図２】
0005699605.tif 000003
【図３】
0005699605.tif 000004
【図４】
0005699605.tif 000005
【図５】
0005699605.tif 000006
【図６】
0005699605.tif 000007
【図７】
0005699605.tif 000008
【図８】
0005699605.tif 000009
【図９】
0005699605.tif 000010
【図１０】
0005699605.tif 000011
【図１１】
0005699605.tif 000012